(57)【要約】    【課題】  従来、ポリブタジエンワニスは通常オーディオアンプ用の低周波トランスのうなり止め等に用いられて音質改善に使用されているものであるが、オーディオアンプ用スイッチング電源用の高周波トランスにはポリエステルワニスが含浸させておりピーク時のうなり音等の音質の劣化は完全とは言えないものであった。    【解決手段】  本発明は、オーディオアンプ用スイッチング電源に用いる高周波トランスにおいて、前記高周波トランスＴ１に含浸液としてポリブタジエンワニスを含浸させたものである。    【選択図】  図１
2005285940.tif 000002
【特許請求の範囲】
【請求項１】
オーディオアンプ用スイッチング電源に用いる高周波トランスにおいて、前記高周波トランスに含浸液としてポリブタジエンワニスを含浸させたことを特徴とするオーディオアンプスイッチング電源用高周波トランスの含浸方法。
【発明の詳細な説明】
【技術分野】
【０００１】
本発明はオーディオアンプスイッチング電源用高周波トランスの含浸方法に関するものであり、更に詳細には、電流の高負荷時に発生する音質劣化の原因であるうなり音等を解消するオーディオアンプスイッチング電源用高周波トランスの含浸方法に関するものである。
【背景技術】
【０００２】
一般的にこれらのオーディオアンプ用スイッチング電源はオーディオアンプが必要とする電流のピークが平均負荷に対して１０倍以上と非常に高いもので、この高い負荷を電源側が供給する時うなり音等が発生して音質が劣化してしまっていた。
【０００３】
従来、ポリブタジエンワニスは通常オーディオアンプ用の低周波トランスのうなり止め等に用いられて音質改善に使用されているものであるが、オーディオアンプ用スイッチング電源用の高周波トランスにはポリエステルワニスが含浸させておりピーク時のうなり音等の音質の劣化は完全とは言えないものであった。
【０００４】
その為、例えば、成形用樹脂組成物はエポキシ樹脂（Ａ）と、酸無水物（Ｂ）と、硬化促進剤（Ｃ）と、カップリング剤（Ｄ）と、分散した平均粒径０．０１〜５μｍの微細ポリマ粒子（Ｅ）と、平均長さ２０〜５００μｍのフィラメントを組成物全体に対して１５重量％以下含有し、配合量が組成物全体に対して６０〜９５重量％である無機充填剤（Ｆ）とを配合したもので、微細ポリマ粒子（Ｅ）が、架橋したブタジエン―アクリロニトリルゴム、ポリブタジエンゴム、水素添加したポリブタジエンゴムまたはイソプレンゴム等のゴム成分（Ｅ１）、エポキシ樹脂や酸無水物と反応可能な官能基を持つ架橋したブタジエン―アクリロニトリルゴム、ポリブタジエンゴムまたは水素添加したポリブタジエンゴムもしくはポリイソプレンゴム等の反応性ゴム成分（Ｅ２）、分子量１０００〜５０００００のポリアクリル酸エステル、ポリメタクリル酸エステルまたはそれらを主とする共重合体もしくはその誘導体や塩等のポリアクリル酸誘導体（Ｅ３）、分子量５００〜３００００のエポキシ樹脂や酸無水物と反応可能な官能基を有するポリブタジエン―アクリロニトリル共重合体、ポリブタジエン、水素添加ポリブタジエン、ポリイソプレンまたは水素添加ポリイソプレン等のエラストマ（Ｅ４）、および分子量５００〜３００００の架橋したポリジメチルシロキサンゴム、シリコーンポリマまたはエポキシ樹脂や酸無水物と反応可能な官能基を分子鎖に有するシリコーンポリマ（Ｅ５）において、上記（Ｅ１）〜（Ｅ５）の少なくとも一種であるもの（特許文献１参照）や、貫通孔を有したボビン２と、このボビン２に巻回した巻線１と、ボビン２の貫通孔に挿入した閉磁路磁芯４とを備えたコイル本体を高比重樹脂５で覆ったもので、高比重樹脂はエポキシ系樹脂またはシリコン系樹脂、ポリブタジエン系樹脂としたもの（特許文献２参照）や、変圧器或いはリアクトル等の電磁機器の鉄心の振動或いは電磁力に起因して発生する騒音低減するために、前記電磁機器を２組設け、その入力交流電圧の位相を互いに逆位相とし、かつ前記２組の電磁機器を同一の架台に並べて配置したもの（特許文献２参照）が開示されている。
【特許文献１】特開Ｈ１０−６００８５号公報
【特許文献２】特開２００１−２３０１３１号公報
【特許文献３】特開Ｈ０５−１３７３４１号公報
【発明の開示】
【発明が解決しようとする課題】
【０００５】
然し乍ら、成形用樹脂組成物はエポキシ樹脂（Ａ）と、酸無水物（Ｂ）と、硬化促進剤（Ｃ）と、カップリング剤（Ｄ）と、分散した平均粒径０．０１〜５μｍの微細ポリマ粒子（Ｅ）と、平均長さ２０〜５００μｍのフィラメントを組成物全体に対して１５重量％以下含有し、配合量が組成物全体に対して６０〜９５重量％である無機充填剤（Ｆ）とを配合したもので、微細ポリマ粒子（Ｅ）が、架橋したブタジエン―アクリロニトリルゴム、ポリブタジエンゴム、水素添加したポリブタジエンゴムまたはイソプレンゴム等のゴム成分（Ｅ１）、エポキシ樹脂や酸無水物と反応可能な官能基を持つ架橋したブタジエン―アクリロニトリルゴム、ポリブタジエンゴムまたは水素添加したポリブタジエンゴムもしくはポリイソプレンゴム等の反応性ゴム成分（Ｅ２）、分子量１０００〜５０００００のポリアクリル酸エステル、ポリメタクリル酸エステルまたはそれらを主とする共重合体もしくはその誘導体や塩等のポリアクリル酸誘導体（Ｅ３）、分子量５００〜３００００のエポキシ樹脂や酸無水物と反応可能な官能基を有するポリブタジエン―アクリロニトリル共重合体、ポリブタジエン、水素添加ポリブタジエン、ポリイソプレンまたは水素添加ポリイソプレン等のエラストマ（Ｅ４）、および分子量５００〜３００００の架橋したポリジメチルシロキサンゴム、シリコーンポリマまたはエポキシ樹脂や酸無水物と反応可能な官能基を分子鎖に有するシリコーンポリマ（Ｅ５）において、上記（Ｅ１）〜（Ｅ５）の少なくとも一種であるものでは、成形用樹脂組成物の微細ポリマ粒子（Ｅ）の反応性ゴム成分（Ｅ２）として、ポリブタジエンゴムまたは水素添加したポリブタジエンゴムを用いて、モールドモーター、コイル装置の高強度・高靭性を向上させているものであるが、複雑な製造方法となるものである。
【０００６】
更に、貫通孔を有したボビン２と、このボビン２に巻回した巻線１と、ボビン２の貫通孔に挿入した閉磁路磁芯４とを備えたコイル本体を高比重樹脂５で覆ったもので、高比重樹脂はエポキシ系樹脂またはシリコン系樹脂、ポリブタジエン系樹脂としたものでは、トランスのコイル本体をポリブタジエン系樹脂で覆ったものであり、閉磁路磁芯４に自歪振動となって発生するうなり音の発生を抑制するもので、電流の高負荷時に発生する音質劣化の原因であるうなり音等を解消することはできないものである。
【０００７】
更には、変圧器或いはリアクトル等の電磁機器の鉄心の振動或いは電磁力に起因して発生する騒音低減するために、前記電磁機器を２組設け、その入力交流電圧の位相を互いに逆位相とし、かつ前記２組の電磁機器を同一の架台に並べて配置したものでは、電磁機器の鉄心の振動或いは電磁力に起因して発生する騒音低減するものではあるが、電流の高負荷時に発生する音質劣化の原因であるうなり音等を解消することはできないものである。
【課題を解決するための手段】
【０００８】
本発明は、前述の課題に鑑み、鋭意研鑽の結果、オーディオアンプ用スイッチング電源に用いる高周波トランスにおいて、前記高周波トランスに含浸液としてポリブタジエンワニスを含浸させたものである。
【発明の効果】
【０００９】
本発明のオーディオアンプ用スイッチング電源用高周波トランスは、音質劣化の原因である負荷の急速な変動により発生するピーク電流時のうなり音を容易な方法で解消するものであり、電源回路の低コスト化が実現できるものであり、画期的で実用性の高い発明である。
【発明を実施するための最良の形態】
【００１０】
本発明はオーディオアンプ用スイッチング電源用高周波トランスの含浸方法に関するものであり、更に詳細には、電流の高負荷時に発生する音質劣化の原因であるうなり音等を解消するオーディオアンプ用スイッチング電源用高周波トランスの含浸方法に関するものであり、オーディオアンプ用スイッチング電源に用いる高周波トランスにおいて、前記高周波トランスに含浸液としてポリブタジエンワニスを含浸させたことを特徴とするものである。
【実施例】
【００１１】
以下、本発明のオーディオアンプ用スイッチング電源用高周波トランスの含浸方法の実施例の図面を用いて詳細に説明すると、図１は本発明のオーディオアンプ用スイッチング電源用高周波トランスの含浸方法を用いた過電流保護回路の実施例の回路図である。
【００１２】
即ち、本発明のオーディオアンプスイッチング電源用高周波トランスの含浸方法は、ポリブタジエンワニスの含浸液にオーディオアンプ用スイッチング電源に用いる高周波トランスを含浸させたものである。
【００１３】
そして、前述のようにして作成したオーディオアンプスイッチング電源用高周波トランスは、本出願人が先に出願した図１に図示するオーディオアンプ用スイッチング電源における過電流保護回路に用いるものであり、オーディオアンプ用スイッチング電源の入力端子Ｖｉｎと出力端子Ｖｏｕｔの間に高周波トランスＴ１を介装しているもので、高周波トランスＴ１は一次巻線Ｐと二次巻線Ｓを有しているものであり、一次巻線Ｐは一方を入力端子Ｖｉｎに接続すると共に他方はスイッチング素子Ｑ１と接続しており、一対の入力端子Ｖｉｎの間にはコンデンサＣ１を介装しており、出力端子Ｖｏｕｔの片方はダイオードＤ１と平滑コイルＬ１とを直列させて二次巻線Ｓとに接続させると共に、他方は二次巻線Ｓに接続させており、更に、夫々の入力端子Ｖｏｕｔの間にはダイオードＤ２とコンデンサＣ２とを並列に接続させているものである。
【００１４】
次に、スイッチング素子Ｑ１は高周波トランスＴ１の一次巻線Ｐと接続すると共に、電流検出回路２とドライブ回路３に接続されているものであり、ドライブ回路３はスイッチング素子Ｑ１と接続されると共にＰＷＭコンパレータ４の出力に接続させているものである。
【００１５】
次いで、ＰＷＭコンパレータ４はドライブ回路３接続させると共に、発振器５とエラーアンプ６とに接続させており、エラーアンプ６と電流検出回路２との間に過電流保護回路１を介装しているものである。
【００１６】
更に、過電流保護回路１はタイマー回路１ａと過電流検出回路１ｂと基準電圧可変回路１ｃとを接続させたものである。
【産業上の利用可能性】
【００１７】
本発明のオーディオアンプスイッチング電源用高周波トランスの含浸方法で作成した高周波トランスは、一般的なオーディオアンプ用スイッチング電源はオーディオアンプが必要とする電流のピークが平均負荷に対して１０倍以上と非常に高いもので、この高い負荷を電源側が供給する時うなり音等が発生して音質が劣化してしまうことを抑えるものである。
【図面の簡単な説明】
【００１８】
【図１】図１は本発明のオーディオアンプ用スイッチング電源用高周波トランスの含浸方法を用いた過電流保護回路の実施例の回路図である。
【符号の説明】
【００１９】
１      過電流保護回路  
１ａ    タイマー回路
１ｂ    過電流検出回路
１ｃ    基準電圧可変回路
２      電流検出回路
３      ドライブ回路
４      ＰＷＭコンパレータ
５      発振器
６      エラーアンプ
Ｖｉｎ  入力端子
Ｖｏｕｔ出力端子
Ｔ１    高周波トランス
Ｐ      一次巻線
Ｓ      二次巻線
Ｑ１    スイッチング素子
Ｃ１．Ｃ２  コンデンサ
Ｄ１．Ｄ２  ダイオード
Ｌ１  平滑コイル
【図１】
2005285940.tif 000003